(57)【特許請求の範囲】
【請求項１】
疑似餌の釣り針を収納可能な容器本体と該容器本体の開口を開閉する蓋板を有し、前記容器本体は前記開口に通じる切り欠き孔を有することを特徴とする釣り針カバ−。
【請求項２】
前記切り欠き孔は開口に向けて同一幅になる部分を有していることを特徴とする請求項１記載の釣り針カバ−。
【請求項３】
前記切り欠き孔は開口に向けて幅狭になる部分を有していることを特徴とする請求項１記載の釣り針カバ−。
【請求項４】
前記切り欠き孔は屈曲して設けられていることを特徴とする請求項１乃至３記載の釣り針カバ−。
【発明の詳細な説明】
【０００１】
【発明の属する技術分野】
この発明は、容器本体内に釣り針が収納される釣り針カバ−の改良に関する。
【０００２】
【従来の技術】
従来から疑似餌に取り付けられた釣り針同志が絡んでしまったり、疑似餌の取扱中に上記釣り針が手に刺さるなどの不都合を解消するために疑似餌に取り付けられた釣り針に止着する釣り針カバ−が使用されている。
これらの釣り針カバ−は実開昭６１−１４２５８４号公報のように釣り針の下方から釣り針に填め込むタイプのものと、特開２０００−３５４４３６号公報や特開２０００−３００１３８号公報のように半割状ケ−スを合掌させて釣り針を収納するタイプがある。
上記のうち釣り針の下方から釣り針に填め込むタイプのものは釣り針の数に合わせてケ−スを形成する必要があるため止着出来る釣り針が限られてしまっていた。
これに対し、半割状ケ−スを合掌させて釣り針を収納するタイプは釣り針がケ−スで覆われるため釣り針の数に係わらず収納でき、収納時の安全性が高い。
【０００３】
ところが、半割状ケ−スを合わせて初めて収納室が形成されるため、ケ−スを開いたとたん収容室は形を成さなくなる。
また、収納時は一対の半割状ケ−スの境界に釣り針の軸が配されており、ケ−スを開くとすぐに釣り針が外方に突出し、ケ−スから脱落する。
このため釣り針を落としてしまったり、釣り針を手に差し易いという欠点がある。
【０００４】
【発明が解決しようとする課題】
解決しようとする問題点は、前者では、釣り針の数に合わせてケ−スを形成する必要があるため止着出来る釣り針が限られてしまうことである。
後者では、半割状ケ−スを合掌させて釣り針を収納するタイプの釣り針カバ−は半割状ケ−スを合わせて初めて収納室が形成されるため、ケ−スを開いたとたん収容室は形を成さなくなり、ケ−スを開くとすぐに釣り針が外方に突出し、ケ−スから脱落したり、釣り針を手に差し易いことである。
【０００５】
本発明の目的は前記欠点に鑑み、蓋板を開いたときに容器本体から釣り針が脱落しない釣り針カバ−を提供することである。
【０００６】
【問題を解決するための手段】
上記課題を解決するために、
請求項１に係わる本発明は、疑似餌の釣り針を収納可能な容器本体と該容器本体の開口を開閉する蓋板を有し、前記容器本体は前記開口に通じる切り欠き孔を有することを要旨とするものである。
請求項２に係わる本発明は、前記切り欠き孔は開口に向けて同一幅になる部分を有していることを要旨とするものである。
請求項３に係わる本発明は、前記切り欠き孔は開口に向けて幅狭になる部分を有していることを要旨とするものである。
請求項４に係わる本発明は、前記切り欠き孔は屈曲して設けられていることを要旨とするものである。
【０００７】
【発明の実施の形態】
請求項１の本発明により、釣り針４が容器本体１ａ側に収納されているため、蓋板１ｂを開いても釣り針４が脱落し難い。
切り欠き孔１ｈ、１ｉ、１ｊ、１ｋ、１ｍ、１ｎ、１ｏ、１ｐの奥行が孔の幅より大きく形成されているため、蓋板１ｂを開いても釣り針４が脱落し難い。
請求項２の本発明により、蓋板１ｂを開いた時に切り欠き孔１ｈ、１ｉの半円ａ、ｂと開口１ｃに向けて半円ａ、ｂの内径と同一幅の透孔ｃ、ｄになる部分で釣り針４が適度に係止されて脱落し難い。
請求項３の本発明により、蓋板１ｂを開いた時に切り欠き孔１ｊ、１ｋの半円より周長が長い円ｅ、ｆと半円の内径より幅狭の透孔ｇ、ｈになる部分で釣り針４が適度に係止されて脱落し難い。
請求項４の本発明により、切り欠き孔１ｏ、１ｐの屈曲位置で支柱３が引っかかり釣り針４が適度に係止されて脱落し難い。
【０００８】
【実施例】
以下、図示の実施例によって本発明を説明すると、図１から図３は第１実施例で、図１は疑似餌の釣り針が釣り針カバ−内に収納された側面図、図２は釣り針カバ−の斜視図、図３は疑似餌の釣り針が釣り針カバ−内に収納された釣り針カバ−の断面側面図と要部拡大断面側面図である。
【０００９】
釣り針カバ−１はポリプロピレンや塩化ビニ−ル等の合成樹脂で有底筒状の容器本体１ａと蓋板１ｂで形成されている。
釣り針カバ−１は透明または半透明材料で形成すると収納された釣り針４の状態が蓋板１ｂを開ける前に確認できてよい。
蓋板１ｂの一側は容器本体１ａにヒンジ部で開閉自在に支持され、容器本体１ａの開口１ｃより高さが幅狭に形成され、蓋板１ｂを閉じた時は上面１ｆと下面１ｇの開口端面を覆わない。
容器本体１ａと蓋板１ｂには蓋板１ｂを閉じた時に係合する夫々係止部１ｄ、１ｅが形成されている。
容器本体１ａの上面１ｆと下面１ｇには夫々切り欠き孔１ｈ、１ｉが形成されている。
切り欠き孔１ｈ、１ｉは夫々半円ａ、ｂと半円ａ、ｂの内径と同一幅の透孔ｃ、ｄが開口１ｃに向けて形成されている。
【００１０】
疑似餌Ａは魚やエビ、シャコ等を模した本体２の尾側に支柱３が固定されて支柱３に複数の釣り針４が固定されている。
切り欠き孔１ｈ、１ｉの内径は支柱３が自由に挿入可能な大きさに形成されている。
容器本体１ａの内側は横幅よりも深さを大きくし、複数の釣り針４が突出せずに挿入可能な大きさに形成されている。
【００１１】
疑似餌Ａの釣り針４が釣り針カバ−１で覆われる時は、開口１ｃから切り欠き孔１ｈ、１ｉに支柱３が挿入されて釣り針４が容器本体１ａ内に挿入される。
【００１２】
前記のように釣り針カバ−１が構成されると、釣り針４が容器本体１ａ側に収納されているため、蓋板１ｂを開いても釣り針４が脱落し難い。
蓋板１ｂを開いた時に切り欠き孔１ｈ、１ｉの半円ａ、ｂと開口１ｃに向けて半円ａ、ｂの内径と同一幅の透孔ｃ、ｄになる部分で釣り針４が適度に係止されて脱落し難い。
切り欠き孔１ｈ、１ｉの奥行が透孔ｃ、ｄの幅より大きく、又、容器本体１ａの開口１ｃから底までの１／２より大きく形成されているため、蓋板１ｂを開いても釣り針４が脱落し難い。
容器本体１ａの下面１ｇに切欠き１ｉがあるため、水が溜らず、釣り針４ａの錆防止が図れる。
尚、本実施例の蓋板１ｂは容器本体１ａの開口１ｃと同じ高さとし、蓋板１ｂを閉じた時、開口１ｃの端面を全て覆うようにしても良い。
【００１３】
図４、図５は第２実施例で、図４は釣り針カバ−の斜視図、図５は釣り針カバ−の平面図である。
【００１４】
第２実施例で、釣り針カバ−１は有底筒状の容器本体１ａと蓋板１ｂで形成されている。
容器本体１ａの上面１ｆと下面１ｇには夫々切り欠き孔１ｊ、１ｋが形成されている。
切り欠き孔１ｊ、１ｋは夫々半円より周長が長い円ｅ、ｆと半円の内径より幅狭の透孔ｇ、ｈが開口１ｃに向けて形成されている。
他の構成は前記第１実施例と略同一である。
【００１５】
第２実施例では、疑似餌Ａの釣り針４が釣り針カバ−１で覆われる時は、前記第１実施例と同様に、切り欠き孔１ｊ、１ｋに支柱３が挿入されて釣り針４が容器本体１ａ内に挿入される。
【００１６】
第２実施例では、蓋板１ｂを開いた時に切り欠き孔１ｊ、１ｋの半円より周長が長い円ｅ、ｆと半円の内径より幅狭の透孔ｇ、ｈになる部分で釣り針４が適度に係止されて脱落し難い。
【００１７】
図６、図７は第３実施例で、図６は釣り針カバ−の斜視図、図７は釣り針カバ−の平面図である。
【００１８】
第３実施例では、釣り針カバ−１は有底筒状の容器本体１ａと蓋板１ｂで形成されている。
容器本体１ａの上面１ｆと下面１ｇには夫々切り欠き孔１ｍ、１ｎが形成されている。
切り欠き孔１ｍ、１ｎは夫々半円より周長が長い円ｅ、ｆと円ｅ、ｆから末広の透孔ｉ、ｊが開口１ｃに向けて形成されている。
他の構成は前記第１実施例と略同一である。
【００１９】
第３実施例では、切り欠き孔１ｍ、１ｎは半円より周長が長い円ｅ、ｆで一旦狭くなってから末広の透孔ｉ、ｊが開口１ｃに向けて形成されているから、切り欠き孔１ｍ、１ｎに支柱３が挿入され易く、釣り針４が適度に係止されて脱落し難い。
【００２０】
図８、図９は第４実施例で、図８は釣り針カバ−の斜視図、図９は釣り針カバ−の平面図である。
【００２１】
第４実施例では、釣り針カバ−１は有底筒状の容器本体１ａと蓋板１ｂで形成されている。
容器本体１ａの上面１ｆと下面１ｇには夫々切り欠き孔１ｏ、１ｐが形成されている。
切り欠き孔１ｏ、１ｐは夫々半円ａ、ｂと半円ａ、ｂの内径と同一幅で屈曲した透孔ｋ、ｍが開口１ｃに向けて形成されている。
他の構成は前記第１実施例と略同一である。
【００２２】
切り欠き孔１ｏ、１ｐの屈曲位置で支柱３が引っかかり釣り針４が適度に係止されて脱落し難い。
【００２３】
【発明の効果】
本発明は、以上説明したような形態で実施され、以下に記載されるような効果を奏する。
【００２４】
請求項１により、釣り針が容器本体側に収納されているため、蓋板を開いても釣り針が脱落し難い。
請求項２により、蓋板を開いた時に切り欠き孔の半円と開口に向けて半円の内径と同一幅の透孔になる部分で釣り針が適度に係止されて脱落し難い。
請求項３により、蓋板を開いた時に切り欠き孔の半円より周長が長い円と半円の内径より幅狭の透孔になる部分で釣り針が適度に係止されて脱落し難い。
請求項４により、切り欠き孔の屈曲位置で支柱が引っかかり釣り針が適度に係止されて脱落し難い。
【図面の簡単な説明】
【図１】第１実施例で、疑似餌の釣り針が釣り針カバ−内に収納された側面図である。
【図２】同釣り針カバ−の斜視図である。
【図３】同疑似餌の釣り針が釣り針カバ−内に収納された釣り針カバ−の断面側面図と要部拡大断面側面図である。
【図４】第２実施例で、釣り針カバ−の斜視図である。
【図５】同釣り針カバ−の平面図である。
【図６】第３実施例で、釣り針カバ−の斜視図である。
【図７】同釣り針カバ−の平面図である。
【図８】第４実施例で、釣り針カバ−の斜視図である。
【図９】同釣り針カバ−の平面図である。
【符号の説明】
Ａ  疑似餌
１ａ  容器本体
１ｂ  蓋板
１ｃ  開口
１ｈ、１ｉ、１ｊ、１ｋ、１ｍ、１ｎ、１ｏ、１ｐ  切り欠き孔
４  釣り針
【図１】
0004330817.tif 000002
【図２】
0004330817.tif 000003
【図３】
0004330817.tif 000004
【図４】
0004330817.tif 000005
【図５】
0004330817.tif 000006
【図６】
0004330817.tif 000007
【図７】
0004330817.tif 000008
【図８】
0004330817.tif 000009
【図９】
0004330817.tif 000010